(57)【特許請求の範囲】
【請求項１】
長さ方向に切断可能な外シートと、シート状食品を介して外シートに重ね合わされ、かつ、外シートの分離に伴って分離される内シートとを備えている米飯加工食品用の包装体であって、
前記外シートの内面にカバーシートが重ね合わされ、両端部でカバーシートの幅方向のほぼ中心に位置し、中間部でカバーシートの側縁側に偏心する開裂案内線がカバーシートの全長にわたって設けられ、前記カバーシートの両側縁部に沿うライン及び前記開裂案内線に沿うラインでカバーシートと外シートとがシールされていることを特徴とする米飯加工食品用の包装体。
【請求項２】
長さ方向に切断可能な外シートと、シート状食品を介して外シートに重ね合わされ、かつ、外シートの分離に伴って分離される内シートとを備えている米飯加工食品用の包装体であって、
前記外シートの外面にカバーシートが重ね合わされ、両端部でカバーシートの幅方向のほぼ中心に位置し、中間部でカバーシートの側縁側に偏心する開裂案内線が外シートの全長にわたって設けられ、前記カバーシートの両側縁部に沿うラインと、前記開裂案内線に沿うラインでカバーシートと外シートとがシールされていることを特徴とする米飯加工食品用の包装体。
【請求項３】
前記カバーシートは、前記シート状食品とほぼ同じ幅に形成され、前記開裂案内線の中間部がシート状食品の側縁部付近に位置するように偏心して設けられていることを特徴とする請求項１又は２に記載の米飯加工食品用の包装体。
【請求項４】
前記開裂案内線は、二股に分岐して中間部が２本設けられていることを特徴とする請求項１から３のいずれか１項に記載の米飯加工食品用の包装体。
【請求項５】
前記開裂案内線は、焼切りによって形成され、所々に非焼切り部が設けられていることを特徴とする請求項１から４のいずれか１項に記載の米飯加工食品用の包装体。
【請求項６】
前記内シートには、米飯加工食品上を滑りやすくするための凹凸部が中間部に設けられていることを特徴とする請求項１から５のいずれか１項に記載の米飯加工食品用の包装体。
【請求項７】
前記内シートは、２枚の並列されたサイドシートと、該サイドシートの内側側部に重ね合わされ、かつ、引裂き予定線が設けられたセンターシートとを備え、各サイドシートの内側側部とセンターシートの両側部とがそれぞれシールされていることを特徴とする請求項１から６のいずれか１項に記載の米飯加工食品用の包装体。
【請求項８】
前記センターシートは、２枚重ねられていることを特徴とする請求項７に記載の米飯加工食品用の包装体。
【請求項９】
前記引裂き予定線は、ハーフカットによって設けられていることを特徴とする請求項７又は８に記載の米飯加工食品用の包装体。
【請求項１０】
請求項１から９のいずれか１項に記載された米飯加工食品用の包装体が米飯加工食品を挟むように二つ折りとされ、内シートの周縁部の三方が重なり合ってシールされていることを特徴とする米飯加工食品用の包装袋。
【発明の詳細な説明】
【技術分野】
【０００１】
本発明は、外シートと内シートとの間に海苔などのシート状食品を挟み、内シート内におにぎりや寿司などの米飯加工食品を包装し、開封時に内シートをシート状食品と米飯加工食品との間から引き抜き、米飯加工食品とシート状食品とが一体となるようにした米飯加工食品用の包装体及びこの米飯加工食品用の包装体によって米飯加工食品を包装した米飯加工食品用の包装袋に関する。
【背景技術】
【０００２】
コンビニエンスストアやスーパーマーケット等の店舗で販売されている海苔付きのおにぎりは、おにぎりと海苔とが分離した状態で包装されている。そして、近年においては、おにぎりと海苔とを分離しつつも、包装中や開封時におにぎりが圧迫されることがなく、開封したときに、おにぎりの柔らかさを保つことができるようにした米飯加工食品用の包装体及び米飯加工食品用の包装袋が各種提供されている。
【０００３】
例えば、特許文献１に開示された米飯加工食品用の包装体は、図１７に示すように、長さ方向に分断可能な外シート１１０と、幅方向に分離可能な２枚の内シート１３０，１３０とが海苔等のシート状食品１を挟んで重ね合わされ、両シート１１０，１３０，１３０の外周縁部がシールＳ（網掛けで図示）されることにより、シート状食品１を密封している。
【０００４】
外シート１１０は、両端を結ぶ長さ方向に切断されるが、長さ方向と直交する方向へ引き裂かれないようにするための一対の規制部材１１１，１１１が一端から他端まで備えられている。また、外シート１１０の両端で、前記一対の規制部材１１１，１１１の間には、切込み１１２，１１２が入れられている。一方、２枚の内シート１３０，１３０は、内側側部１３１，１３１が重ね合わされ、両端に切欠部１３２，１３２が設けられている。
【０００５】
このような米飯加工食品用の包装体は、内シート１３０，１３０上におにぎり等の米飯加工食品２を載せた状態で、図１８に示すように二つ折りとされ、重なり合う内シート１３０，１３０の三方の周縁部が切欠部１３２，１３２を除いてシールＳされ、そして内シート１３０，１３０の切欠部１３２，１３２によって接合している外シート１１０の周縁部同士がシールＳされることによって、柔らかい米飯加工食品２を包装した包装袋Ｈが製袋される。
【０００６】
この包装された米飯加工食品２を食するには、包装袋Ｈの上側の両角部を摘み、その角部が離隔する方向に引っ張る。すると、外シート１１０が切込み１１２，１１２から折り返された折返し部の方へ引き裂かれる。外シート１１０には、規制部材１１１，１１１が備えられていることから、外シート１１０は、両側の周縁部の方へ引き裂かれることがなく、折返し部の方へ確実に引き裂かれる。そして、内シート１３０，１３０がシート状食品１と米飯加工食品２との間から引き抜かれることにより、シート状食品１が米飯加工食品２を包んだ状態で食することができる。
【０００７】
【特許文献１】特開２００４−２６１０５６号公報
【発明の開示】
【発明が解決しようとする課題】
【０００８】
特許文献１に開示された米飯加工食品用の包装袋Ｈは、上側の両角部を摘み、その角部が離隔する方向に引っ張ることによって開封するため、内シート１３０，１３０及び外シート１１０は、折返し部の中心が支点となって、傾斜姿勢となり、シート状食品１を押圧する。すると、内シート１３０，１３０と外シート１１０とに挟まれたシート状食品１には、押圧力が加えられ、シート状食品１が中心分で破れてしまい、食しにくくなることがある。
【０００９】
そこで、本発明は、シート状食品を挟んだ内シートと外シートとが二つ折りにされてシールされた状態から開封するに際して、シート状食品が破れないようにした米飯加工食品用の包装体及び米飯加工食品用の包装袋を提供することを課題とする。
【課題を解決するための手段】
【００１０】
本発明に係る米飯加工食品用の包装体は、長さ方向に切断可能な外シートと、シート状食品を介して外シートに重ね合わされ、かつ、外シートの分離に伴って分離される内シートとを備えている米飯加工食品用の包装体であって、前記外シートの内面にカバーシートが重ね合わされ、両端部でカバーシートの幅方向のほぼ中心に位置し、中間部でカバーシートの側縁側に偏心する開裂案内線がカバーシートの全長にわたって設けられ、前記カバーシートの両側縁部に沿うライン及び前記開裂案内線に沿うラインでカバーシートと外シートとがシールされていることを特徴としている。
【００１１】
この米飯加工食品用の包装体によれば、内シートが米飯加工食品と接合するように二つ折りとされ、折り返された折返し部を除く三方が重なり合って三方ないし必要な部位がシールされることにより、又は、上側中心部が摘めるように米飯加工食品の外形に沿って折り曲げられ、必要な部位がシールされることにより、米飯加工食品用の包装袋が製袋される。この米飯加工食品用の包装体は、カバーシートが開裂案内線によって内側と外側とで連通しているが、カバーシートの外面には外シートが重ね合わされ、カバーシートの両側縁部に沿うラインがシールされているため、外気が内外シートに挟まれたシート状食品の方に流入しないようにすることができる。
【００１２】
この米飯加工食品用の包装袋を開封するには、二つ折りにされた場合は、例えば上側両角部を離隔する方向に引っ張り、米飯加工食品の外形に沿って折り曲げられる場合は上側中心部の部分を離隔する方向に引っ張る。すると、外シートがカバーシートに設けられた開裂案内線に沿って引き裂かれる。開裂案内線に沿って外シートとカバーシートとがシールされているため、外シートは、このシールから逸れて引き裂かれることがない。また、開裂案内線は、中間部でカバーシートの側縁側に偏心して設けられているため、外シートが米飯加工食品の底部側まで引き裂かれたときに、カバーシートの中間部の側縁側が支点となって外シート及びカバーシートと内シートの片側が傾斜姿勢となる。したがって、外シート及びカバーシートと内シートとに挟まれているシート状食品には押圧力があまり加えられなくなり、破れないようにすることができる。
【００１３】
また、前記と異なる本発明に係る米飯加工食品用の包装体は、長さ方向に切断可能な外シートと、シート状食品を介して外シートに重ね合わされ、かつ、外シートの分離に伴って分離される内シートとを備えている米飯加工食品用の包装体であって、前記外シートの外面にカバーシートが重ね合わされ、両端部でカバーシートの幅方向のほぼ中心に位置し、中間部でカバーシートの側縁側に偏心する開裂案内線が外シートの全長にわたって設けられ、前記カバーシートの両側縁部に沿うラインと、前記開裂案内線に沿うラインでカバーシートと外シートとがシールされていることを特徴としている。
【００１４】
この米飯加工食品用の包装体によれば、前記の本発明に係る米飯加工食品用の包装体と同様、内シートが米飯加工食品と接合するように二つ折りとされ、折り返された折返し部を除く三方が重なり合って三方ないし必要な部位がシールされることにより、又は、上側中心部が摘めるように米飯加工食品の外形に沿って折り曲げられ、必要な部位がシールされることにより、米飯加工食品用の包装袋が製袋される。この米飯加工食品用の包装体は、外シートが開裂案内線によって内側と外側とで連通しているが、外シートの外面にはカバーシートが重ね合わされ、カバーシートの両側縁部に沿うラインがシールされているため、外気が内外シート間に挟まれたシート状食品の方に流入しないようにすることができる。
【００１５】
この米飯加工食品用の包装袋を開封するには、二つ折りにされた場合は、例えば上側両角部を離隔する方向に引っ張り、米飯加工食品の外形に沿って折り曲げられる場合は上側中心部の部分を離隔する方向に引っ張る。すると、カバーシートが外シートに設けられた開裂案内線に沿って引裂かれる。開裂案内線に沿ってカバーシートと外シートとがシールされているため、カバーシートは、このシールから逸れて引き裂かれることがない。また、開裂案内線は、中間部でカバーシートの側縁側に偏心して設けられているため、カバーシートが米飯加工食品の底部側まで引き裂かれたときに、カバーシートの中間部の側縁側が支点となって外シート及びカバーシートと内シートの片側が傾斜姿勢となる。したがって、外シートと内シートとに挟まれているシート状食品には押圧力があまり加えられなくなり、破れないようにすることができる。
【００１６】
また、前記本発明に係る米飯加工食品用の包装体において、前記カバーシートは、前記シート状食品とほぼ同じ幅に形成され、前記開裂案内線の中間部がシート状食品の側縁部付近に位置するように偏心して設けられていることが好ましい。この米飯加工食品用の包装体によれば、開裂案内線がカバーシート又は外シートの中間部でシート状食品の側縁部付近に偏心することにより、カバーシート又は外シートが米飯加工食品の底部においてシート状食品の側縁部付近が押圧され、引き裂かれるため、開封に際して外シートがシート状食品をほとんど押圧されず、破れないようにすることができる。
【００１７】
また、前記本発明に係る米飯加工食品用の包装体において、前記開裂案内線は、二股に分岐して中間部が２本設けられていることが好ましい。この米飯加工食品用の包装体によれば、開裂案内線が二股に分岐して中間部で２本設けられていることにより、包装袋は、上側両角部ないし中心部を右方向に引っ張っても左方向に引っ張っても開封することができる。また、開裂案内線が二股に分岐していることにより、外シートが両方向に引き裂かれた後に、外シート及びカバーシートの中間部がシート状食品を挟む残存部とすることができる。
【００１８】
また、前記本発明に係る米飯加工食品用の包装体において、前記開裂案内線は、焼切りによって形成され、所々に非焼切り部が設けられていることが好ましい。この米飯加工食品用の包装体によれば、開裂案内線が焼切りによって形成されることにより、大きな力を加えなくても開封することができる。そして、カバーシートは、開裂案内線を境界に２枚又は３枚に分離されるが、所々に設けられた非焼切り部によって、一体化することができる。なお、非焼切り部は、開封に際して、外シートが引き裂かれるときに、当然、切断される。
【００１９】
また、前記本発明に係る米飯加工食品用の包装体において、前記内シートには、米飯加工食品上を滑りやすくするための凹凸部が中間部に設けられていることが好ましい。この米飯加工食品用の包装体によれば、内シートの中間部に凹凸部が設けられていることにより、中間部が接合している米飯加工食品は、開封に際して、内シートに引っ張られないため、割れないようにすることができる。
【００２０】
また、前記本発明に係る米飯加工食品用の包装体において、前記内シートは、２枚の並列されたサイドシートと、該サイドシートの内側側部に重ね合わされ、かつ、引裂き予定線が設けられたセンターシートとを備え、各サイドシートの内側側部とセンターシートの両側部とがそれぞれシールされていることが好ましい。この米飯加工食品用の包装体によれば、内シートは、米飯加工食品を包装している状態において、シート状食品と米飯加工食品とを隔絶し、開封に際して、内シートが反対方向に引っ張られることにより、センターシートに設けられた引裂き予定線で分離される。センターシートは、サイドシートにシールされていることにより、サイドシートが引っ張れたときに、センターシートも引っ張られ、センターシートがシート状食品と米飯加工食品との間に残存することがない。さらに、センターシートが引裂き予定線から逸れる方向に引っ張られても、センターシートとサイドシートのシールによって規制され、センターシートは逸れることなく全長にわたって確実に引き裂かれる。
【００２１】
また、前記本発明に係る米飯加工食品用の包装体において、前記センターシートは、２枚重ねられていることが好ましい。この米飯加工食品用の包装体によれば、センターシートが２枚重ねられていることにより、引裂き予定線がレーザ光や超音波などによって設けられる場合において、１枚目のセンターシートが焼き切られたとしても、２枚目のセンターシートが焼き切られずに、気密性を確保することができる。
【００２２】
また、前記本発明に係る米飯加工食品用の包装体において、前記引裂き予定線は、ハーフカットによって設けられていることが好ましい。この米飯加工食品用の包装体によれば、引裂き予定線がハーフカットによって設けられていることにより、内フィルムの内面側と外面側とが確実に隔絶され、シート状食品が湿気ることなく、パリパリ感を確保することができるだけでなく、内フィルムのセンターシートを容易に引き裂くことができる。
【００２３】
また、本発明に係る米飯加工食品用の包装袋は、前記本発明に係るいずれかの米飯加工食品用の包装体が米飯加工食品を挟むように二つ折りとされ、内シートの周縁部の三方が重なり合ってシールされていることを特徴としている。
【００２４】
この米飯加工食品用の包装袋によれば、前記のように、開封に際して、外シートがシート状食品を押圧しなくなり、シート状食品が割れないようにすることができる。そして、米飯加工食品用の包装体が二つ折りとされることにより、ふんわりとやわらかく握られた米飯加工食品を好適に包装することができる。
【発明の効果】
【００２５】
本発明によれば、外シートの内面にカバーシートが重ね合わされ、このカバーシートに開裂案内線が設けられ、又は、外シートの外面にカバーシートが重ね合わされ、この外シートに開裂案内線が設けられ、この開裂案内線が両端部でほぼ中心に位置し、中間部でカバーシートの側縁側に偏心し、かつ、カバーシートと外シートとが前記開裂案内線に沿うラインでシールされていることにより、開封に際して、外シートを前記開裂案内線に沿って引き裂くことができる。そして、開裂案内線がカバーシートの中間部で側縁部に偏心して設けられていることにより、引き裂かれた外シートは、シート状食品を押圧することがなく、シート状食品が破られないで食することができる。
【発明を実施するための最良の形態】
【００２６】
本発明に係る米飯加工食品用の包装体（以下、「包装体」という。）の実施形態について図１から図１６を参照しながら説明する。この包装体は、図１又は図２に示すように、米飯加工食品２を収納できる大きさの長方形状の外シート１０と、この外シート１０の内面に重ね合わされるカバーシート２０と、シート状食品１を介して外シート１０及びカバーシート２０に重ね合わされる内シート３０からなり、内外シート３０，１０はシート状食品１よりも外側における所定の囲み領域、例えば外周縁部がシールＳ１（網点で図示）され、シート状食品１を密封するように一体化されている。
【００２７】
なお、米飯加工食品２には、三角形状や樽形状などに軟らかくふんわりと又は通常の硬さに握られた各種おにぎりの他、寿司なども含まれるが、ここでは「おにぎり」という。また、シート状食品１には、シート状の海苔の他、畳鰯なども含まれるが、ここでは「海苔」という。
【００２８】
そして、カバーシート２０は、焼切り、ハーフカット、又はミシン目などによる開裂案内線２１が全長にわたって設けられている。この開裂案内線２１は、カバーシート２０の両端部において幅方向のほぼ中心（正確な中心を含む。）に設けられ、この内寄り部分から二股に分岐し、中間部においてカバーシート２０の側縁側に偏心して２本設けられる。図１に示す包装体のカバーシート２０は、海苔１の中心線部分を覆う幅に形成され（以下、「第１の実施形態という。」）、図２に示す包装体のカバーシート２０は、海苔１のほぼ全幅を覆う幅に形成される（以下、「第２の実施形態」という。）。
【００２９】
第１の実施形態の開裂案内線２１の中間部は、ほぼ長円形に設けられ、第２の実施形態の開裂案内線２１の中間部は、ほぼ楕円形に設けられる。いずれにしても、開裂案内線２１が焼切りによって形成される場合は、所々に非焼切り部２２が設けられ、カバーシート２０が開裂案内線２１で分離しないようにされている。
【００３０】
このようなカバーシート２０と外シート１０とは、カバーシート２０の両側縁に沿うラインＬ１でシールＳ２され、開裂案内線２１に沿うラインＬ２でシールＳ３されることにより一体化されている。第１の実施形態では、開裂案内線２１の両端部の両側を挟むラインＬ２ａ、開裂案内線２１の二股に分岐する部分に挟まれるラインＬ２ｂ、そして開裂案内線２１の中間部の内側で平行なラインＬ２ｃにおいてカバーシート２０と外シート１０とがシールＳ３される。
【００３１】
また、第２の実施形態では、開裂案内線２１の両端部及び二股に分岐する部分の外側を挟むラインＬ２ｄ、そして、開裂案内線２１の分岐している部分から中間部において、内側に沿うラインＬ２ｅにおいてカバーシート２０と外シート１０とがシールＳ３される。したがって、いずれのシールも不連続部Ｐが設けられている。ただし、いずれの実施形態においても、不連続部Ｐが設けられることなくシールＳ３してもよい。
【００３２】
そして、外シート１０には、開裂案内線２の一方の分岐部分と重なる位置にＶ字形、Ｕ字形、Ｘ字形などの切込み案内線１２が設けられる。この切込み案内線１２は、ハーフカットによって設けることが好ましいが、切り目やミシン目によって設けてもよい。そして、ハーフカットが切断されても、また、切込み案内線１２が切り目やミシン目によって設けられても、切込み案内線１２と開裂案内線２１とによって外シート１０とカバーシート２０との内外が連通しないように隔絶性を確保するため、外シート１０とカバーシート２０とは切込み案内線１２を覆う部分が弱シールＳ９される。
【００３３】
そして、外シート１０の両端部の幅方向の中心にも切込み１１，１１が入れられ、この切込み１１とカバーシート２０の開裂案内線２１の端部とが一致するようにカバーシート２０と外シート１０がシールＳ２，Ｓ３される。ただし、外シート１０の切込み１１と開裂案内線２１の端部とが一致するように位置あわせする作業が容易でないため、外シート１０とカバーシート２０とを重ね合わせてシールＳ２，Ｓ３された後に、切込み１１と開裂案内線２１とが設けられる。また、外シート１０の切込み１１は、三角形状のＶノッチや円形状のＵノッチなどとすることにより、この切込み１１を設けた外シート１０をカバーシート２０の開裂案内線２１の端部とを位置合わせしてもよい。
【００３４】
一方、内シート３０は、図１又は図２に示すように、１枚のフィルムのセンターラインにミシン目又はハーフカットなどによって引裂き予定線３０ａを設けたもの、図３に示すように、２枚のフィルム３１，３１の内側端部３１ａ，３１ａを単純に重ね合わせたもの、図４に示すように、２枚のフィルム３１，３１の内側端部３１ａ，３１ａを折り返して重ね合わせたものなど、汎用されているものを使用することができる。
【００３５】
さらに、内シート３０は、図５に示すように、一定の間隔を空けて並列された２枚のサイドシート３２，３２と、このサイドシート３２，３２の内側側部に重ね合わされるセンターシート３３とを備えたものとすることもできる。センターシート３３のセンターラインには、レーザ光や超音波などによってハーフカットなどの引裂き予定線３０ａが設けられている。そして、サイドシート３２，３２の内側側部とセンターシート３３の両側部とがそれぞれシールＳ４，Ｓ４され、２枚のサイドシート３２，３２とセンターシート３３とが一体化される。
【００３６】
センターシート３３は、開封に際して、引裂き予定線３０ａで分離されるが、引裂き予定線３０ａから逸れる方向に引っ張れても、全長にわたって引裂かれるようにするため、前記のシールＳ４よりも内側で、サイドシート３２，３２の内側端縁に沿うラインにもシールＳ５，Ｓ５される。なお、各２本のシールＳ４，Ｓ５は、１本で兼用してもよい。
【００３７】
また、内シート３０は、図６に示すように、一定の間隔を空けて並列された２枚のサイドシート３２，３２と、このサイドシート３２，３２の内側部に重ね合わされる２枚の同じ形状のセンターシート３４，３５とを備えたものとすることができる。サイドシート３２，３２の内側側部とセンターシートの両側部とが２本又は１本ずつシールＳ４，Ｓ５され、２枚のサイドシート３２，３２と２枚のセンターシート３４，３５とが一体化される。
【００３８】
また、内シート３０は、図７に示すように、一定の間隔を空けて並列された２枚のサイドシート３２，３２と、このサイドシート３２，３２の内側側部に重ね合わされるセンターシート３６と、このセンターシート３６に重ね合わされ、かつ、センターシート３６よりも幅の狭いセンターシート３７とを備えたものとすることができる。そして、サイドシート３２，３２の内側部と幅の広いセンターシート３６の両側部とが１本ずつシールＳ６，Ｓ６され、幅の広いセンターシート３６の中心部付近と幅の狭いセンターシート３７の両側部とが１本ずつシールＳ７，Ｓ７され、２枚のサイドシート３２，３２と２枚のセンターシート３６，３７とが一体化される。
【００３９】
図６及び図７に示す内シート３０は、一方のセンターシート３５，３７（又は３４,３６）にレーザ光又は超音波などが照射されることによって、２枚のセンターシート３５，３６；３６，３７のセンターラインにハーフカットなどの引裂き予定線３０ａが設けられる。この引裂き予定線３０ａを設ける際に、一方のセンターシート３５，３７（又は３４,３６）が切断しても、他方のセンターシート３４，３６（又は３５，３７）まで切断されることがないため、内シート３０の隔絶性を確保することができる。
【００４０】
このような内シート３０は、いずれも、図１及び図２に示すように（図３ないし図７において図示せず）、おにぎり１上を滑りやすくするための凹凸部３０ｂが中間部に設けられている。凹凸部３０ｂは、図１及び図２の拡大図に示すような側面鋸歯形状、図示しない疣疣形状、ローレット形状など特定するものではない。また、図示したように内シート３０の全幅にわたって設けるほか、おにぎり１が載せられる部分にのみ設けてもよい。
【００４１】
そして、この内シート３０と前記外シート１０及びカバーシート２０との間に海苔１を挟み、外周部がシールＳ１されることによって、包装体が完成する。この包装体の内シート３０をおにぎり１に重ねて二つ折りにされ、又はおにぎり１の外形に沿って折り曲げられ、必要な部位がシールされることにより、例えば図８ないし図１１に示すようなおにぎり用の包装袋Ｈが製袋される。
【００４２】
図８に示す第１の包装形態に係る包装袋Ｈは、包装体を二つ折りとし、両端部を重ね合わせて帯状にシールすることによって四角形状の正面部及び背面部を設け、両側部を内側に折り曲げることによって側面部を設け、側面部を複数箇所でポイントシールしたものである。また、図９に示す第２の包装形態に係る包装袋Ｈは、第１の包装形態と同様、包装体を二つ折りとし、両端部を重ね合わせて帯状にシールすることによって四角形状の正面部及び背面部を設け、両側部を内側に折り曲げることによって側面部を設けるが、側面部をライン状にシールしたものである。
【００４３】
また、図１０に示す第３の包装形態に係る包装袋Ｈは、包装体をおにぎり１の外形に沿って折り曲げ、必要な部位をシールしたものであるが、上側中心が摘めるように突出したものとされている。また、図１１に示す第４の包装形態に係る包装袋Ｈは、包装体を二つ折りとし、折返部を除いた三方をシールし、四角形状の正面部及び背面部を設け、側面部を設けないものである。
【００４４】
また、図１２又は図１４に示す第５の包装形態は、背面部又は正面部に商品情報などを記載したラベル４０を外シート１０に貼付したもので、ラベル４０の上縁に多数の切込みが形成されている。ラベル４０は、第１、第２、第４の包装形態に係る包装袋Ｈのように正面部及び背面部が四角形状の場合だけでなく、第３の包装形態のように正面部及び背面部が三角形状の場合であっても外シート１０に貼付することができる。
【００４５】
そして、いずれの包装袋Ｈも、カバーシート２０に開裂案内線２１が設けられているが、外面に外シート１０が重ね合わされ、カバーシート２０の両側縁に沿うラインＬ１でシールＳ２されているため、密封された海苔１は、外気と隔絶され、湿気ることがない。また、外シート１０に切込み案内線１２が入れられているが、弱シールＳ９によって、外気が外シート１０とカバーシート２０との内外が連通されず、海苔１が湿気らないようにされている。さらに、内シート３０の引裂き予定線３０ａがハーフカットによって設けられることによっても、密封された海苔１は、おにぎり１と隔絶され、湿気ることがない。
【００４６】
ここで、図８に示す第５の包装形態の包装袋Ｈの開封方法を図１２ないし図１５を参照しながら説明する。なお、第１から第４の包装形態の包装袋Ｈも同様に開封することができる。
【００４７】
第１の実施形態の包装体からは、図１２に示すような包装袋Ｈが製袋される。この包装袋Ｈは、カバーシート２０に設けられた開裂案内線２１の中間部が海苔１の中心線部分よりも外側に位置している。
【００４８】
また、第２の実施形他の包装体からは、図１４に示すような包装袋Ｈが製袋される。この製袋された包装袋Ｈは、カバーシート２０に設けられた開裂案内線２１の中間部が海苔１の側部付近に位置している。
【００４９】
そして、第１及び第２のいずれの実施形態の包装袋Ｈも上側両角部ないし切込み１１の両側を保持し、例えば、図面において左側を固定した状態とし、右側を右下の方に引っ張る。すると、外シート１０が切込み１１を開封基点にカバーシート２０の開裂案内線２１に沿って引き裂かれる。このとき、カバーシート２０に設けられた非焼切り部２２は、容易に切断される。
【００５０】
そして、外シート１０に入れられたＶ字形などの切込み案内線１２は、引っ張られる方向（この実施形態では右方向）に引き裂かれ、弱シールＳ９（図１、図２を参照）が剥がされる。さらに、外シート１０は、開裂案内線２１に沿って底部の方へ引き裂かれ、外シート１０及びカバーシート２０が左右に分離する。途中において、外シート１０にラベル４０が貼付されているが、ラベル４０の上縁４１に多数の切込みが形成されていることにより、ラベル４０も容易に引き裂かれる。
【００５１】
このように外シート１０が引き裂かれ、カバーシート２０ととともに、左右に分離すると同時に、内シート３０は、センターラインで分離する。すなわち、図１及び図２に示した内シート３０にあっては、ミシン目やハーフカットによる引裂き予定線３０ａが引き裂かれ、図３及び図４に示した内シート３０にあっては、重なり合っている内側側部が離間し、図５ないし図７に示した内シート３０にあっては、センターシート３４，３５，３６，３７の引裂き予定線３０ａが引き裂かれ、それぞれ左右に分離する。また、図５ないし図７に示した内シート３０は、センターシート３４，３５，３６，３７がサイドシート３２，３２にシールＳ４，Ｓ６，Ｓ７されているため、センターシート３４，３５，３６，３７が内部に残留することなく、サイドシート３２，３２とともに、海苔１とおにぎり２との間から引き抜かれる。
【００５２】
また、内シート３０の折返し部に設けられた凹凸部３０ｂにより、内シート３０の折返し部は、おにぎり２上をスムーズに移動する。したがって、内シート３０は、おにぎり２を引っ張ることがなく、おにぎり２は割れることがない。
【００５３】
そして、図１３及び図１５（ともにラベル４０を図示せず）に示すように、外シート１０が折返し部まで引き裂かれた状態において、海苔１がほとんど露出しているため、外シート１０から海苔１に押圧力を加えず、海苔１は破れることがない。
【００５４】
そして、残った外シート１０の中間部分を摘み、左側を左下の方へ引っ張る。すると、外シート１０は、切込み案内線１２が起点となり、二股に分岐していた開裂案内線２１で引っ張られる方向（この実施形態においては左方向）に引き裂かれ、図１６に示すように、開裂案内線２１に囲まれていたカバーシート２０及びこのカバーシート２０に重なり合っている外シート１０がおにぎり２を掴む残余部Ｚとして残される。
【００５５】
なお、残余部は、海苔１の側部付近が引き裂かれる第２の実施形態の包装袋Ｈにおいて好適に実施することができるが、第１の実施形態の包装袋Ｈにおいて実施することができることはいうまでもない。
【００５６】
次に、前記と異なる実施形態の米飯加工食品の包装体について説明する。前記の実施形態では、カバーシート２０が外シート１０の内面に重ね合わされ、カバーシート２０に開裂案内線２１が設けられているが、異なる実施形態は、図示しないが、外シートに開裂案内線を設け、カバーシートがこの開裂案内線を覆うように外シートの外面に重ね合わされる。
【００５７】
この場合であっても、開裂案内線は、両端部でカバーシートのほぼ中心に位置し、折返し部でカバーシートの側縁側に偏心するように設けられる。また、カバーシートの両側縁部に沿うラインと、開裂案内線に沿うラインでカバーシートと外シートとがシールされる。さらに、カバーシートが開裂案内線の分岐部と重なっている部分に切込みが入れられ、この切込みを覆うようにカバーシートと外シートとがＳ９される。このような包装体からも前記の実施形態と同様の包装袋が製袋され、同様に開封して、海苔が割れないようにして食することができる。
【００５８】
なお、本発明は、前記の実施形態に限定することなく、特許請求の範囲に記載した技術的事項の範囲内において種々変更することができる。
【００５９】
例えば、開裂案内線２１は、前記のように、中間部において、長円形又は楕円形に形成し、２本設けられることにより、包装袋Ｈを右方向に引っ張っても左方向に引っ張っても開封することができるが、片側方向にのみ引っ張って開封すると限定する場合は、中間部の開裂案内線２１は、片方に１本のみ偏心するように設けてもよい。また、残余部Ｚを設けない場合は、切込み２１が入れられず、したがって、切込み２１を覆う弱シールＳ９をする必要もない。
【図面の簡単な説明】
【００６０】
【図１】本発明に係る米飯加工食品用の包装体の第１の実施形態を示す分解斜視図である。
【図２】本発明に係る米飯加工食品用の包装体の第２の実施形態を示す分解斜視図である。
【図３】本発明に係る米飯加工食品用の包装体を構成している内シートの第１の実施形態を示す要部拡大斜視図である。
【図４】本発明に係る米飯加工食品用の包装体を構成している内シートの第２の実施形態を示す要部拡大斜視図である。
【図５】本発明に係る米飯加工食品用の包装体を構成している内シートの第３の実施形態を示す斜視図である。
【図６】本発明に係る米飯加工食品用の包装体を構成している内シートの第４の実施形態を示す斜視図である。
【図７】本発明に係る米飯加工食品用の包装体を構成している内シートの第５の実施形態を示す斜視図である。
【図８】本発明に係る米飯加工食品用の包装体によって製袋された包装袋の第１の形態を示す斜視図である。
【図９】本発明に係る米飯加工食品用の包装体によって製袋された包装袋の第２の形態を示す斜視図である。
【図１０】本発明に係る米飯加工食品用の包装体によって製袋された包装袋の第３の形態を示す斜視図である。
【図１１】本発明に係る米飯加工食品用の包装体によって製袋された包装袋の第４の形態を示す斜視図である。
【図１２】本発明に係る第１の実施形態の米飯加工食品用の包装体によって製袋された包装袋を示す正面図である。
【図１３】本発明に係る第１の実施形態の米飯加工食品用の包装体によって製袋された包装袋を開封している状態を示す正面図である。
【図１４】本発明に係る第２の実施形態の米飯加工食品用の包装体によって製袋された包装袋を示す正面図である。
【図１５】本発明に係る第２の実施形態の米飯加工食品用の包装体によって製袋された包装袋を開封している状態を示す正面図である。
【図１６】本発明に係る第２の実施形態の米飯加工食品用の包装体によって制された包装袋を開封し終えた状態を示す正面図である。
【図１７】従来の米飯加工食品用の包装体を示す分解斜視図である。
【図１８】従来の米飯加工食品用の包装体によって製袋した包装袋を示す斜視図である。
【符号の説明】
【００６１】
１………シート状食品（海苔）
２………米飯加工食品（おにぎり）
１０……外シート
２０……カバーシート
２１……開裂案内線
２２……非焼切り部
３０…… 内シート
３０ａ…引裂き予定線
３０ｂ… 凹凸部
Ｌ１……カバーシートの側縁に沿うライン
Ｌ２……開裂案内線に沿うライン
Ｓ１…… シール
Ｓ２……シール
Ｓ３……シール
【図１】
0005022822.tif 000002
【図２】
0005022822.tif 000003
【図３】
0005022822.tif 000004
【図４】
0005022822.tif 000005
【図５】
0005022822.tif 000006
【図６】
0005022822.tif 000007
【図７】
0005022822.tif 000008
【図８】
0005022822.tif 000009
【図９】
0005022822.tif 000010
【図１０】
0005022822.tif 000011
【図１１】
0005022822.tif 000012
【図１２】
0005022822.tif 000013
【図１３】
0005022822.tif 000014
【図１４】
0005022822.tif 000015
【図１５】
0005022822.tif 000016
【図１６】
0005022822.tif 000017
【図１７】
0005022822.tif 000018
【図１８】
0005022822.tif 000019